(57)【要約】【課題】光源から光を照射される領域だけでなく、他の領域でも反射グレアを抑制することができる照明制御システム、プログラム及び照明制御方法を提供する。【解決手段】光源の少なくとも一部を覆う偏光部と、偏光部の偏光軸を所定角度だけ回転する偏光軸回転制御部と、偏光部の偏光軸を所定角度だけ回転する間、被照状態を取得する被照状態取得部と、回転角とその回転角における被照状態との関係とに基づいて偏光部の偏光軸の回転角を決定する偏光軸角度決定部とを備え、偏光軸回転制御部は、偏光部の偏光軸を偏光軸角度決定部が決定した回転角に回転する。【選択図】図２
2008140691.tif 000002
【特許請求の範囲】
【請求項１】
光源による被照物の被照状態に応じて、被照物への照射範囲の少なくとも一部の領域に前記光源が照射する光の偏光軸の回転角を制御することを特徴とする照明制御システム。
【請求項２】
光源の少なくとも一部を覆う偏光部と、
前記偏光部の偏光軸を所定角度だけ回転する偏光軸回転制御部と、
前記偏光軸回転制御部の制御により偏光軸を回転する間、被照状態を取得する被照状態取得部と、
回転角とその回転角における被照状態との関係とに基づいて前記偏光部の偏光軸の目標回転角を決定する偏光軸角度決定部とを備え、
前記偏光軸回転制御部は、前記偏光部の偏光軸を前記偏光軸角度決定部が決定した目標回転角に回転することを特徴とする照明制御システム。
【請求項３】
前記偏光軸回転制御部は、前記所定角度として、前記偏光部の偏光軸を略１８０度の範囲にわたって回転することを特徴とする請求項２に記載の照明制御システム。
【請求項４】
前記被照状態取得部は、前記被照状態として、前記光源が被照物に照射する光の反射光量を測定し、
前記偏光軸角度決定部は、前記被照状態取得部が取得した反射光量が最小となる角度を前記偏光部の偏光軸の回転角と決定することを特徴とする請求項２に記載の照明制御システム。
【請求項５】
前記被照状態取得部は、前記被照状態として、前記光源が被照物に照射する光の透過光量を測定し、
前記偏光軸角度決定部は、前記被照状態取得部が取得した透過光量が最大となる角度を前記偏光部の偏光軸の回転角と決定することを特徴とする請求項２に記載の照明制御システム。
【請求項６】
被照状態を入力又は検出する被照状態検出部を備えていることを特徴とする請求項２に記載の照明制御システム。
【請求項７】
前記被照物の少なくとも一つは画像表示装置であり、被照状態を検出する被照状態検出部が前記画像表示装置に取り付けられていることを特徴とする請求項２に記載の照明制御システム。
【請求項８】
被照物に光を照射する光源を備えることを特徴とする請求項２に記載の照明制御システム。
【請求項９】
コンピュータに、
光源の少なくとも一部を覆う偏光部の偏光軸を所定角度だけ回転させる第１のステップと、
前記第１のステップでの制御により偏光軸を回転する間、被照状態を取得させる第２のステップと、
回転角とその回転角における被照状態との関係とに基づいて前記偏光部の偏光軸の目標回転角を決定させる第３のステップと、
前記偏光部の偏光軸を前記第３のステップで決定した目標回転角に回転させる第４のステップと、
を実行させることを特徴とするプログラム。
【請求項１０】
光源の少なくとも一部を覆う偏光部の偏光軸を所定角度だけ回転し、
前記偏光軸を回転する間、被照状態を取得し、
回転角とその回転角における被照状態との関係とに基づいて前記偏光部の偏光軸の目標回転角を決定し、
前記偏光部の偏光軸を前記目標回転角に回転させることを特徴とする照明制御方法。
【発明の詳細な説明】
【技術分野】
【０００１】
本発明は、照明制御システム、プログラム及び照明制御方法、特に、照明制御システム、プログラム及び照明制御方法照明光の偏光制御により被照物の反射グレアの抑制を可能とするに関する。
【背景技術】
【０００２】
ＣＲＴや液晶ディスプレイ等に代表されるビデオ・ディスプレイは、通常一定の明るさの照明を施した環境下で使用される。この際、ディスプレイに照明光（外光）が映り込み、ディスプレイ表面の照明光（外光）の反射により、反射グレアと呼ばれる現象が発生して、ディスプレイの視認性を低下させるという問題が発生していた。
【０００３】
前記反射グレアへの対策としては、主に以下の２つの方法が用いられている。１つ目の方法は、外光が、ディスプレイ表面で散乱するように、ディスプレイの表面を加工するものである。また、２つ目の方法は、外光に対するディスプレイ表面の反射率を低くする方法である。
【０００４】
前記２つ目の方法の１つとして、以下に説明する原理に基づき、光の偏光を利用して反射グレアを抑制する方法が知られている。一般に、屈折率ｎ１の媒質から屈折率ｎ２の媒質に光が入射角θ1（媒質界面と垂直な方向からの角度）で入射した場合に、光の電場ベクトルが入射面に平行なＰ波と、垂直なＳ波とによって、反射率が異なる物理現象を利用する。具体的には、屈折率ｎ１の媒質から入射角θ1で入った光が、屈折率ｎ２の媒質へ出射角θ2で出射する場合、Ｐ波の反射率ＲｐとＳ波の反射率Ｒsは、各媒質中での減衰がないと仮定すると、各々、以下の式（１）、式（２）で表わすことができる。
【０００５】
【数１】
2008140691.tif 000003
【０００６】
【数２】
2008140691.tif 000004
【０００７】
ここで、光の電場ベクトルの振動方向が一定というのは、その光が直線偏光であることと同義である。すなわち、上記の現象を利用して、Ｐ波に相当する偏光を主成分とする照明装置を作れば、ある屈折率を持つ物質の界面における反射率を、Ｐ波とＳ波とが同様に含まれる通常の照明装置で光を当てた際の反射率よりも低くすることができ、結果的に物体からの反射光を減らし、反射グレアが軽減され、防眩効果が得られる。
【０００８】
この物理現象を照明に応用した技術として、照明装置の本体に偏光板を取り付けることで事務所等におけるＶＤＴ（Visual Display Terminal）作業時にＣＲＴ（Cathode Ray Tube）ディスプレイへの照明装置の映り込み等、反射グレアによる表面の見にくさを抑制可能とした照明装置が知られている（特許文献１）。
また、偏光面が光源と被照物と視線とで形成される面と実質的に一致するような偏光で照明し、その偏光子もしくは照明装置の向きを可動にして偏光面を調節可能とした照明装置及び照明方法が知られている（特許文献２）。
また、光源の一部又は全体を覆う偏光フィルタを光源前方に配置することで被照物での反射グレアを低減させることが可能な光源が知られている（特許文献３）。
【０００９】
しかしながら、上記３つの技術は、被照物の状態変化には対応できなかった。このため、降雨検出センサの信号に応じて偏光板等で構成される遮光性カバーによる配向制御を行なう道路照明装置のように、外部（被照明対象）の状態に応じて、偏光制御を行なう方法が提案されている（特許文献４）。
【特許文献１】実開昭５８−７４７０２号公報
【特許文献２】特開昭６０−１４６４０１号公報
【特許文献３】実開平６−１１２１４号公報
【特許文献４】実開平３−８６５０８号公報
【発明の開示】
【発明が解決しようとする課題】
【００１０】
しかしながら、特許文献４に記載されている技術は、状況に応じて偏光軸を単純に切り替えるものであるため、照明される領域の反射グレアを抑制できても、他の領域では逆に反射グレアが大きくなるという問題があった。
【００１１】
本発明は、上記事情に鑑みてなされたものであり、その目的は、光源から光を照射される領域だけでなく、他の領域でも反射グレアを抑制することができる照明制御システム、プログラム及び照明制御方法を提供することにある。
【課題を解決するための手段】
【００１２】
本発明の照明制御システムは、上記課題を解決するためになされたもので、光源による被照物の被照状態に応じて、被照物への照射範囲の少なくとも一部の領域に前記光源が照射する光の偏光軸の回転角を制御する。
本発明では、光源から光を照射される領域だけでなく、他の領域でも反射グレアを抑制することができる。
【００１３】
また、本発明の照明制御システムは、光源の少なくとも一部を覆う偏光部と、前記偏光部の偏光軸を所定角度だけ回転する偏光軸回転制御部と、前記偏光軸回転制御部の制御により偏光軸を回転する間、被照状態を取得する被照状態取得部と、回転角とその回転角における被照状態との関係とに基づいて前記偏光部の偏光軸の目標回転角を決定する偏光軸角度決定部とを備え、前記偏光軸回転制御部は、前記偏光部の偏光軸を前記偏光軸角度決定部が決定した目標回転角に回転する。
本発明では、光源の少なくとも一部を覆う偏光部の偏光軸を所定角度だけ偏光軸回転制御部が回転し、前記偏光軸回転制御部の制御により偏光軸を回転する間、被照状態を被照状態取得部が取得し、回転角とその回転角における被照状態との関係とに基づいて前記偏光部の偏光軸の目標回転角を偏光軸角度決定部が決定し、前記偏光部の偏光軸を前記偏光軸角度決定部が決定した目標回転角に偏光軸回転制御部が回転するようにした。
これにより、光源から光を照射される領域だけでなく、他の領域でも反射グレアを抑制することができる。
【００１４】
また、本発明の照明制御システムは、前記偏光軸回転制御部は、前記所定角度として、前記偏光部の偏光軸を略１８０度の範囲にわたって回転する。
本発明では、前記偏光部の偏光軸を略１８０度の範囲にわたって回転するようにしたので、偏光軸の回転角の全ての角度における被照状態を取得することができ、反射グレアが最も低くなる偏光軸の回転角を確実に求めることができる。
【００１５】
また、本発明の照明制御システムの前記被照状態取得部は、前記被照状態として、前記光源が被照物に照射する光の反射光量を測定し、前記偏光軸角度決定部は、前記被照状態取得部が取得した反射光量が最小となる角度を前記偏光部の偏光軸の回転角と決定する。
本発明では、被照物の透過光量を取得することができない場合であっても、被照物の反射光量を取得することにより、反射グレアが低くなる偏光軸の回転角を求めることができる。
【００１６】
また、本発明の照明制御システムの前記被照状態取得部は、前記被照状態として、前記光源が被照物に照射する光の透過光量を測定し、前記偏光軸角度決定部は、前記被照状態取得部が取得した透過光量が最大となる角度を前記偏光部の偏光軸の回転角と決定する。
本発明では、被照物の反射光量を取得することができない場合であっても、被照物の透過光量を取得することにより、反射グレアが低くなる偏光軸の回転角を求めることができる。
【００１７】
また、本発明の照明制御システムは、被照状態を入力又は検出する被照状態検出部を備えている。
【００１８】
また、本発明の照明制御システムは、前記被照物の少なくとも一つは画像表示装置であり、被照状態を検出する被照状態検出部が前記画像表示装置に取り付けられている。
本発明では、画像表示装置上に現れる反射グレアを軽減することができ、画像表示装置を視聴する観察者の眼の疲労等を軽減することができる。
【００１９】
また、本発明の照明制御システムは、被照物に光を照射する光源を備える前記被照物の少なくとも一つは画像表示装置である。
【００２０】
また、本発明のプログラムは、コンピュータに、光源の少なくとも一部を覆う偏光部の偏光軸を所定角度だけ回転させる第１のステップと、前記第１のステップでの制御により偏光軸を回転する間、被照状態を取得させる第２のステップと、回転角とその回転角における被照状態との関係とに基づいて前記偏光部の偏光軸の目標回転角を決定させる第３のステップと、前記偏光部の偏光軸を前記第３のステップで決定した目標回転角に回転させる第４のステップとを実行させる。
【００２１】
また、本発明の照明制御方法は、光源の少なくとも一部を覆う偏光部の偏光軸を所定角度だけ回転し、前記偏光軸を回転する間、被照状態を取得し、回転角とその回転角における被照状態との関係とに基づいて前記偏光部の偏光軸の目標回転角を決定し、前記偏光部の偏光軸を前記目標回転角に回転させる。
【発明の効果】
【００２２】
本発明による照明制御システム、プログラム及び照明制御方法では、光源から光を照射される領域だけでなく、他の領域でも反射グレアを抑制することができる。
【発明を実施するための最良の形態】
【００２３】
以下、図面を参照し、本発明の実施形態について説明する。
（第１の実施形態）
図１は、本発明の第１の実施形態による照明制御システム１００ａの適用例を示す図である。照明制御システム１００ａは、照明装置１０、駆動装置２０、制御装置３０、光量検出装置４０（被照状態検出部）を備えている。照明制御システム１００ａは、観察者Ｍが居住する部屋などに設置されている。部屋には、被照物１（１ａ、１ｂ、１ｃ）が設置されている。ここでは、被照物１ａがＴＶなどの画像表示装置であり、被照物１ｂが机であり、被照物１ｃが椅子である場合について説明する。
【００２４】
照明装置１０は、部屋の天井などに取り付けられ、光源１１、偏光フィルタ１２、液晶パネル１３を備えている。駆動装置２０は、照明装置１０に取り付けられ、制御装置３０が出力する制御信号に基づいて、照明装置１０を制御する。
制御装置３０は、光量検出装置４０が検出する被照状態を取得し、照明装置１０を制御する制御命令を駆動装置２０に出力する。光量検出装置４０は、被照状態を検出し、その被照状態を制御装置３０に出力する。
【００２５】
図２は、本発明の第１の実施形態による照明制御システム１００ａ（図１）の構成を示すブロック図である。
照明装置１０は、光源１１、偏光フィルタ１２（偏光部）を備えている。光源１１は、蛍光灯、白熱灯、又は、発光ダイオード、有機ＥＬ（Electro Luminescence）等の半導体発光素子等を用いた光源である。偏光フィルタ１２は、光源の少なくとも一部を覆っている。
駆動装置２０は、光源駆動部２１、偏光フィルタ駆動部２２を備えている。
光源駆動部２１は、光源制御部３２が出力する制御信号に基づいて、光源の点灯や消灯を制御する。また、偏光フィルタ駆動部２２は、偏光軸回転制御部３３が出力する制御信号に基づいて、偏光フィルタ１２の偏光軸の回転角度を制御する。
【００２６】
制御装置３０は、指示取得部３１、光源制御部３２、偏光軸回転制御部３３、被照状態取得部３４、通信部３５、被照状態記憶部３６、偏光軸角度決定部３７、遠隔操作部３８を備えている。
指示取得部３１は、観察者Ｍ等の操作に基づいて、光源１１の点灯指示や消灯指示を取得する。光源制御部３２は、指示取得部３１から点灯指示や消灯指示が出力された場合に、光源駆動部２１に点灯指示信号や消灯指示信号などの制御信号を出力する。
偏光軸回転制御部３３は、偏光フィルタ１２の偏光軸を所定角度だけ回転する。具体的には、偏光軸回転制御部３３は、所定角度として、偏光フィルタ１２の偏光軸を略１８０度の範囲にわたって回転する。
また、偏光軸回転制御部３３は、偏光フィルタ１２の偏光軸を偏光軸角度決定部３７が決定した目標回転角に回転する。
【００２７】
被照状態取得部３４は、偏光軸回転制御部３３の制御により偏光フィルタ１２の偏光軸を回転する間、通信部３５を介して光量検出装置４０から被照状態を取得する。なお、被照状態取得部３４は、通信部３５からではなく、観察者の操作により入力される被照状態を取得するようにしてもよい。
通信部３５は、光量検出装置４０から被照状態を有線通信又は無線通信により取得し、被照状態取得部３４に出力する。
被照状態記憶部３６は、被照状態取得部３４が取得した被照状態を記憶する。ここで、被照状態とは、光源１０が被照物１に照射する光の反射光量、又は、光源１０が被照物１に照射する光の透過光量などである。
偏光軸角度決定部３７は、回転角とその回転角における被照状態との関係（後述する図４（ｂ）参照）とに基づいて偏光フィルタ１２の偏光軸の目標回転角を決定する。
遠隔操作部３８は、観察者Ｍの操作に基づいて、偏光フィルタ１２の偏光軸を回転する角度を指定する情報を取得し、その情報に基づいて遠隔操作指示を生成して偏光軸回転制御部３３に出力する。
【００２８】
図３は、本発明の第１の実施形態による照明制御システム１００ａの処理を示すフローチャートである。指示取得部３１は、観察者Ｍの操作に基づいて、光源１１の点灯指示を取得したか否かについて判定する（ステップＳ０１）。点灯指示を取得していない場合には、指示取得部３１はステップＳ０１でＮＯと判定し、ステップＳ０１に進む。一方、点灯指示を取得した場合には、指示取得部３１はステップＳ０１でＹＥＳと判定し、ステップＳ０２に進む。
【００２９】
ステップＳ０２では、光源制御部３２は、光源駆動部２１を介して光源１１を点灯させる（ステップＳ０２）。そして、偏光軸回転制御部３３は、偏光フィルタ駆動部２２を介して偏光フィルタ１２の回転軸の回転を０度から開始させる（ステップＳ０３）
そして、被照状態取得部３４は、通信部３５を介して光量検出装置４０から被照状態を取得する（ステップＳ０４）。次に、被照状態取得部３４は、被照状態を被照状態記憶部３６に記録する（ステップＳ０５）。
【００３０】
そして、偏光軸回転制御部３３は、偏光フィルタ１２の偏光軸を１８０度回転させたか否かについて判定する（ステップＳ０６）。偏光フィルタ１２の偏光軸を１８０度回転させていない場合には、偏光軸回転制御部３３はステップＳ０６でＮＯと判定し、ステップＳ０４に進む。一方、偏光フィルタ１２の偏光軸を１８０度回転させた場合には、偏光軸回転制御部３３はステップＳ０６でＹＥＳと判定し、ステップＳ０７に進む。
【００３１】
ステップＳ０７では、偏光軸角度決定部３７は、被照状態に基づいて偏光軸の目標回転角を決定する（ステップＳ０７）。
そして、偏光軸回転制御部３３は、偏光フィルタ駆動部２２を介して、偏光フィルタ１２の偏光軸を、ステップＳ０７で決定した目標回転角にする（ステップＳ０８）。
【００３２】
次に、遠隔操作部３８は、遠隔操作指示を取得したか否かについて判定する（ステップＳ０９）。遠隔操作指示を取得していない場合には、遠隔操作部３８はステップＳ０９でＮＯと判定し、図３のフローチャートの処理を終了する。一方、遠隔操作指示を取得した場合には、遠隔操作部３８はステップＳ０９でＹＥＳと判定し、ステップＳ１０に進む。
ステップＳ１０では、偏光軸回転制御部３３は、ステップＳ０９で取得した遠隔操作指示に基づいて、偏光フィルタ駆動部２２を介して偏光フィルタ１２を回転させる（ステップＳ１０）。
【００３３】
蛍光灯、白熱灯、又は、発光ダイオードや有機ＥＬ等の半導体発光素子等を用いた光源１１の前面に、被照物へ届く光を偏光性にする偏光フィルタ１２を設置する。偏光フィルタ１２には、ヨウ素系材料、染料系材料等を用いた色素系のものやポリビニルアルコール等を用いた樹脂系、金属等により微細構造を作りこんだワイヤグリッド型や、反射型偏光子等を用いることができる。さらに、この偏光フィルタ１２はモータ等によってその偏光軸を変化することができる。
【００３４】
このような構成により反射グレアの低減や抑制を行なう場合、例えば、被照物１の被照状態として、この照明装置からの光に対する被照物の反射光の光量を取得する。その実現方法としては、例えば、観察者Ｍがいる場合には、実際の観察場所から被照物１を観察しながら、例えば、リモコン操作等を用いて遠隔操作部３８に遠隔操作指示を入力することにより、偏光フィルタ１２の偏光軸を変化させ、反射グレアの程度情報を照明装置へ入力する方法などを用いる。
【００３５】
また、被照物１の被照状態としてその照度を照度計等の光量検出装置４０で検出できるようにするために、照明装置１０の近傍に光量検出装置４０を設置する方法を用いれば、観察者Ｍの主観ではなく、客観的な反射グレアの程度情報を用いて、偏光軸制御を行なうことが可能となる。観察者Ｍが感じている反射グレアの程度情報は非常に重要な情報であるため、光量検出装置４０とリモコン操作の両方から入力可能とするとよい。この場合、例えば、制御装置３０で目標回転角を決定した後、観察者Ｍがリモコン操作により偏光軸の回転角度を微調整すると、より確実に反射グレアを抑制可能となる。
【００３６】
このように構成された照明制御システム１００ａを、例えば居間や寝室等で使用する場合、この照明装置１０により照らされる被照物１は、一般的に複数存在し、非常に複雑に入り組んだ形状で、かつ、種々の材質が含まれる。しかしながら、そうした被照物１からの複雑な光の反射を全て含んだ反射光の光量情報を被照状態として検出し、その反射光の光量が最小の値となるように、前記偏光フィルタ１２の偏光軸を調整すれば、この偏光照明装置によって生じている反射グレアを検出することが可能となり、かつ、その反射グレアが最小の値となるように調整することができる。
【００３７】
偏光軸の回転角の調整に関しては、直線偏光の場合であればその偏光軸、楕円偏光の場合であればその長軸は１８０度周期を持っているため、光源１１の偏光軸（もしくは長軸）をある特定の角度δ（度）からδ＋１８０（度）まで少なくとも一度回転させて、その間の光量変化を光量検出装置４０で測定し、反射光の光量が最小となる角度に偏光軸を決定する。
【００３８】
図４（ａ）及び図４（ｂ）は、本発明の第１の実施形態による偏光フィルタ１２の偏光軸の回転角を決定する方法について説明するための図である。
被照状態取得部３４は、被照状態として、光源１１が被照物１に照射する光の反射光量を測定し、偏光軸角度決定部３７は、被照状態取得部３４が取得した反射光量が最小となる角度を前記偏光部の偏光軸の目標回転角と決定する。具体的には、偏光フィルタ１２の偏光軸を図４（ａ）において、θ＝０度からθ＝１８０度まで回転させた時に、反射光量が図４（ｂ）のような角度θｍａｘでの最大値Ｅｍａｘから角度θｍｉｎでの最小値Ｅｍｉｎの間で変化を示した場合には、その反射光量の数値が最小値Ｅｍｉｎとなる角度θｍｉｎに、偏光フィルタ１２の偏光軸の回転角を合わせることで反射グレアによるグレアを抑制する。なお、図４（ｂ）において、横軸は偏光フィルタの角度（度）を示し、縦軸は光量を示す。
【００３９】
図５（ａ）〜図５（ｄ）は、本発明の第１の実施形態による照明装置１０の構成の一例について説明するための図である。図５（ａ）、図５（ｂ）、図５（ｄ）では、光源１１、液晶パネル１３の図示を省略している。また、図５（ｃ）では、液晶パネル１３の図示を省略している。
図５（ａ）は、照明装置１０の光出射面を示す平面図である。照明装置１０の光出射面と平行になるように平面状の偏光フィルタ１２ａ（図１の偏光フィルタ１２に相当する）が移動部５１、５２に取り付けられており、偏光フィルタ１２ａは、上記出射面と平行な面において、方向Ｄ１と、方向Ｄ１に垂直な方向Ｄ２とに任意の距離だけ動くことができる。また、円形の偏光フィルタ１２ａは、円周方向Ｄ３に任意の角度だけ動くことができる。
【００４０】
図５（ｂ）は、照明装置１０の光出射面を示す平面図である。照明装置１０の光出射面と平行になるように平面状の偏光フィルタ１２ｂ、１２ｃ（図１の偏光フィルタ１２に相当する）が照明装置１０に取り付けられており、円形の偏光フィルタ１２ｂ、１２ｃは、円周方向Ｄ３、Ｄ４に任意の角度だけ動くことができる。
【００４１】
図５（ｃ）は、照明装置１０の構成を示す斜視図である。偏光フィルタ１２ｄ（図１の偏光フィルタ１２に相当する）は、移動部５３、５４によって両端が照明装置１０に取り付けられている。偏光フィルタ１２ｄは、移動部５３、５４が光出射面の縁の部分を、等間隔を保ちながら移動することにより、方向Ｄ６に任意の角度だけ動くことができる。また、偏光フィルタ１２ｄは、移動部５３、５４は、移動部５３と移動部５４とを結んだ線を軸として回転することができ、方向Ｄ７に任意の角度だけ動くことができる。
【００４２】
図５（ｄ）は、照明装置１０の光出射面を示す平面図である。光出射面には、円形の偏光フィルタ１２ｅ、１２ｆが取り付けられており、光出射面の偏光フィルタ１２ｅ、１２ｆが取り付けられていない領域には、偏光フィルタ１２ｇが取り付けられている。
偏光フィルタ１２ｅ、１２ｆは、それぞれ円周方向Ｄ８、Ｄ９に任意の角度だけ動くことができる。
【００４３】
なお、偏光フィルタ１２を、ゼーマン効果等を利用してその偏光軸を制御可能な構造にすることも可能である。この場合、ゼーマン効果を生じる電磁石を回転させたりすることにより、複数存在する被照物によって複雑に発生する反射光による反射グレアをより効率よく抑制し、かつ、部屋全体、もしくは、観察者Ｍの居る場所や手元等における照度を十分明るく保つことが可能となる。
【００４４】
図６（ａ）及び図６（ｂ）は、本発明の第１の実施形態による照明装置１０の構成の他の例について説明するための図である。
図６（ａ）は、照明装置１０の断面図であり、図６（ｂ）は、照明装置１０の光出射面の平面図である。図６（ａ）及び図６（ｂ）では、液晶パネル１３を制御することにより、照明装置１０の光出射面の領域の一部（例えば、領域ｒ１、ｒ２）の偏光軸の回転を、他の領域（例えば、領域ｒ３）と異なるように制御することができる。
【００４５】
図７は、図６（ａ）及び図６（ｂ）の液晶パネル１３の構成の一例を示す図である。液晶パネル１３は、ＩＴＯ（酸化インジウム錫）等の透明電極１３２、１３６を備えたガラス等の透明基板１３１、１３７に有機膜１３３、１３５を配し、これに配向処理を施したものを２枚貼り合わせてその間に液晶材料１３４を配した構造をしている。
広く画像表示装置として用いられている液晶パネルの場合には、この一対の透明基板をさらに２枚の偏光板で挟み、液晶に電圧を印加することで光シャッタの役割をさせ画像表示を行なっているが、この時、液晶パネルの旋光性、すなわち、入射した偏光の偏光軸を回転させる。本実施形態で液晶パネル１３を用いる場合には、この旋光性を生かして、液晶パネル１３を偏光制御のための部材として活用する。使用する液晶の動作モードとしては、動的散乱モード（ＤＳＭ：Dynamic Scattering Mode）や、ＳＴＮ（Super Twisted Nematic）モード、相転移モード、ＥＣＢ（Electrically Controlled Birefringence）モード、ＰＤＬＣ（Polymer Dispersed Liquid Crystal：ポリマ分散型）、強誘電性液晶、反強誘電性液晶、ＩＰＳ（In-Plane Switching）モード、ＶＡ（Vertical Alignment）モード等が活用できる。
【００４６】
すなわち、この場合には、液晶に印加する電圧によって、本実施形態による照明装置１０から出射される偏光の軸を、例えば、０度と９０度との間で連続的に制御することが可能となる。さらには、一般に、画像表示装置用に用いられている液晶パネルと同様に、透明電極を短冊状にした単純マトリクス構造や、ＴＦＴ（Thin Film Transistor）やダイオード等と組み合わせたアクティブマトリクス構造を活用すると、例えば、図６（ｂ）のように部分的に偏光軸を制御可能とすることもできる。従って、ＣＣＤ等の光量検出装置と組み合わせれば、所定の回転角だけ偏光軸を回転した光を検出可能となり、その検出した情報に基づいて、偏光制御を行なう箇所を個別かつ詳細に制御することが可能となる。
【００４７】
光量検出装置４０による被照状態の検出結果と、光源１１や光量検出装置４０等の位置情報から、偏光制御が必要な光路を算出し、その光路部分の液晶を駆動することによって、その駆動電圧により偏光軸を必要な分だけ必要な領域のみ変化させることが可能となり、真に偏光制御が必要な部分のみの制御を行なうことで、さらに細かく反射グレアのみを抑制可能となる。
また、例えば、光源１１の近くに可視光レーザ等を設置することによって、反射グレアを抑制したい箇所、すなわち偏光制御が必要な箇所を詳細に特定することもできる。レーザ光のように直進性の高いスポット光を用いることによって、光源１１が被照物１を照射している光線を、細かく分解することが可能となり、どの方向の光線が反射グレア抑制を必要としているか、外光の影響と照明装置１０の影響とを区別するかといったような、詳細な分析をすることができる。
【００４８】
より具体的には、照明制御システムによる照明は例えばそのまま継続した状態で、光源１１の近くのレーザ光により被照領域をスキャンしていき、手動もしくは、レーザ受光器による自動検出により、偏光制御が必要な箇所を決めていく方法を用いることができる。また、さらには、レーザ光の偏光性を活用することも有用である。例えばこの場合は、特定の１つの被照物に対して、レーザの偏光軸を０（度）から１８０（度）まで変化させ光量検出装置４０による検出光量の値が最小となる偏光軸を決定し、その軸に合致するように光源からの光の偏光制御を行なうことが考えられる。この方法を被照領域全体にわたって実行することにより、非常に詳細に、反射グレアを抑制することが可能となる。
【００４９】
なお、ここまでは主に、偏光制御として偏光軸の変化に関する例を中心に実施形態を示したが、偏光と非偏光の切り替えや、通常コンピュータ装置等のディスプレイ装置に用いられるような、偏光子と検光子に液晶パネルが挟まれたような構造の素子を光源１１の前に設けることも可能である。この場合は、反射グレアを抑制したい箇所への光照射の光量そのものを被照情報に応じて抑制でき、それ以外の場所への光量は抑制されなくなるため、照明制御システムの被照領域そのものを細かく変化させることが可能となる。
また、光源１１は、ハロゲンランプ、ＨＩＤ（High Intensity Discharge）ランプ等の他の素子で構成することもできる。
【００５０】
図８（ａ）及び図８（ｂ）は、本発明の第１の実施形態による照明装置１０の構成の一例を示す図である。発光ダイオード（ＬＥＤ：Light Emitting Diode）等のような発光部分が小さく、点光源に近い光源を利用する場合には、例えば、図８（ａ）のように、複数の光源１１ａ〜１１ｇ（図１における光源１１に相当）、偏光フィルタ１２ａ〜１２ｇ（図１における偏光フィルタ１２に相当）を用いることができる。光源１１ａ〜１１ｇそれぞれの点灯や消灯は、駆動装置２０が出力する制御信号により制御される。
また、図８（ｂ）のように、複数の光源１１ｈ〜１１ｎ（図１における光源１１に相当）と、それらを覆う偏光フィルタ１２とを用いて照明制御システムを構成することも可能である。光源１１ｈ〜１１ｎそれぞれの点灯や消灯は、駆動装置２０が出力する制御信号により制御される。
【００５１】
図９は、本発明の第１の実施形態による照明制御システム１００ａの他の適用例を示す図である。図９に示す照明制御システムでは、一つの被照状態によって制御可能な照明装置１０ｏ〜１０ｑ（図１における照明装置１０に相当）が設置されている。また、照明装置１０ｏ〜１０ｑは、光源１１ｏ〜１１ｑ（図１における照明装置１１に相当）と、偏光フィルタ１２ｏ〜１２ｑ（図１における偏光フィルタ１２に相当）を備えている。
偏光フィルタ１２ｏ〜１２ｑの偏光軸の回転角度は、光量検出装置４０が検出する被照状態に基づいて制御装置３０により決定され、その制御装置３０が駆動装置２０ｏ〜２０ｑに出力する制御信号により制御される。
【００５２】
さらに、本実施形態による光源として、偏光源を用いることも可能である。偏光源の例としては、発光レーザダイオードや、ゼーマン効果を用いたもの、また干渉偏光器を付加したもの等がある。これらの光源を用いる場合には、偏光制御を偏光フィルタで行なうのではなく、各偏光源全体もしくは、その偏光軸を決定している部分を上記と同様に被照状態に応じて回転等による偏光軸変化等の偏光制御を行なうことにより、前記の例と同様の効果を得ることが可能となる。
また、例えば、室内の場合に、窓を通して入ってくる太陽光の反射グレアを抑制しようとする場合には、偏光制御の機能を持つ窓ガラスを準備し、その偏光制御を上述と同様の方法で行なえば、本実施形態による効果を得ることが可能である。
【００５３】
（第２の実施形態）
次に、本発明の第２の実施形態について説明する。第２の実施形態において、第１の実施形態と同じ構成をとる部分については、同一の符号を付してそれらの説明を省略する。
【００５４】
図１０は、本発明の第２の実施形態による照明制御システム１００ｂの適用例を示す図である。偏光フィルタ１２の偏光軸の回転角度は、光量検出装置４０が検出する被照状態に基づいて制御装置３０により決定され、その制御装置３０が駆動装置２０に出力する制御信号により制御される。
第１の実施形態（図１参照）で説明した構成の照明装置１０の光が届く範囲に存在するものは被照物１ａ、１ｂ、１ｃであり、図１０に示すようにその被照物を見る観察者Ｍが居る場合、その観察者Ｍの視線に近い方向を向けて照度計等の光量検出装置４０を設置し、照明装置１０が点灯している際の光量検出装置４０の情報が、例えば駆動装置２０を制御するマイクロコンピュータ等の制御系へフィードバックされることで、光量検出装置４０の計測値が最小となるように偏光軸を調整する。
こうした方法を用いることで、照明装置１０によって照らされた被照物１を観察者Ｍが見た際に、反射グレアを最小値に抑制することが可能となり、被照物を的確かつ快適に観察できるようになる。
【００５５】
なお、ここまでは、光源１１が例えば天井に設置され、被照物の被照状態を検出する装置としての照度計等の光量検出装置４０や、ＣＣＤ等の光量検出装置４０が観察者Ｍの視線に近い位置に配置されている場合を例に挙げて説明したが、例えば、被照物１が反射率の高い物質でできているか否かについて検出し、その情報によって照明制御システムの偏光制御を行なうことによっても、反射グレアを抑制することが可能である。この場合は、光源１１と、被照物１の光量検出装置４０とがほぼ同じ位置に設けられる。
【００５６】
図１１及び図１２は、本発明の第２の実施形態による照明制御システム１００ｂの他の適用例を示す図である。偏光フィルタ１２の偏光軸の回転角度は、光量検出装置４０が検出する被照状態に基づいて制御装置３０により決定され、その制御装置３０が駆動装置２０に出力する制御信号により制御される。
図１１に示す照明制御システム１００ｂでは、光量検出装置４０が照明装置１０に取り付けられており、照明装置１０による光の照射方向Ｄ１１と、光量検出装置４０による光の検出方向Ｄ１２とが平行になるように調整されている。
また、図１２に示す照明装置１０では、光量検出装置４０が照明装置１０に取り付けられており、照明装置１０による光の照射方向Ｄ１３と、光量検出装置４０による光の検出方向Ｄ１４とが平行になるように調整されている。
【００５７】
デスクライトやスポットライトのような、比較的狭くて近い被照物１を照らすような照明制御システムにおいては、図１２に示すように、照度計やＣＣＤ等を光源１１から近い位置に配置し、その反射光量や画像情報を用いて被照物１の材質を判断することによって、その観察者Ｍの位置における反射グレアを効率よく抑制できる。
なお、光量検出装置４０そのものも被照物１の一部となってしまう場合があり、光源１１からの直接光も光量として検出される可能性がある。前記の通り、偏光制御を行なった際の検出信号変化に基づいたフィードバック制御を行なう場合、例えば光量検出装置４０として照度計を用いたときには、偏光軸変化による直接光の検出データの変化はほとんど発生しないため、直接光が入射していても悪影響はほとんどない。ただし、例えば輝度計等のように、偏光状態による検出データの影響が無視できない可能性のあるものを光量検出装置４０として用いるような場合や、照度計を用いた場合でも、より精度よく検出信号変化をフィードバックする必要がある場合には、こうした直接光はできるだけ検出器に直接入らないように以下の図１３（ａ）〜図１３（ｃ）のような構成とするとよい。
【００５８】
図１３（ａ）〜図１３（ｃ）は、本発明の第２の実施形態による光量検出装置４０の構成の一例を示す図である。
図１３（ａ）は、平板状の遮蔽部４１ａを光量検出装置４０に取り付けている。また、図１３（ｂ）は、円筒状の遮蔽部４１ｂを光量検出装置４０に取り付けている。また、図１３（ｃ）は、遮蔽部４１ｂを長手方向に半分に切断した遮蔽部４１ｃを光量検出装置４０に取り付けている。光量検出装置４０を、図１３（ａ）〜図１３（ｃ）に示すような構成にすることにより、光量検出装置４０に所定の方向から入射する光を遮ることができる。
【００５９】
図１４は、本発明の第２の実施形態による照明制御システム１００ｂの更に他の適用例を示す図である。偏光フィルタ１２の偏光軸の回転角度は、光量検出装置４０が検出する被照状態に基づいて制御装置３０により決定され、その制御装置３０が駆動装置２０に出力する制御信号により制御される。図１４では、被照物１ａの近傍で、照明装置１０から照射された光の反射光を、被照物状態情報として光量検出装置４０により検出している。
【００６０】
図１５は、図１４の被照物１ａと光量検出装置４０の他の構成を示す図である。
図１５では、被照物１ａの近傍で、照明装置１０から照射された光の透過光を、被照物状態情報として光量検出装置４０により検出する。
図１６は、図１５における被照物１ａの断面図である。被照物１ａは、ＩＴＯ（酸化インジウム錫）等の透明電極７２、７６を備えたガラス等の透明基板７１、７７に有機膜７３、７５を配し配向処理を施したものを２枚貼り合わせてその間に液晶材料７５を配した構造をしている。光量検出装置４０の背面には、バックライト７８が設けられている。照明装置１０から照射される光は、透明基板７１側から入射し、透明基板７７側から出射し、光量検出装置４０に入射する。
【００６１】
図１４の反射光量を検出する方法は、例えば照度計やＣＣＤ等を光量検出装置４０として用いることができ、制御方法も前述した方法と同様に行なうことが可能である。図１５及び図１６の場合も、光量検出装置４０として照度計やＣＣＤ等を用いることは可能であるが、検出される透過光量が最大になる時に、反射グレアが最小となる点が異なる。
つまり、被照状態取得部３４（図２参照）は、被照状態として、光源１１が被照物１に照射する光の透過光量を測定し、前記偏光軸角度決定部３７は、被照状態取得部３４が取得した透過光量が最大となる角度を偏光フィルタ１２の偏光軸の目標回転角と決定する。例えば、偏光軸を図４（ａ）において、θ＝０度からθ＝１８０度まで回転させた時に、透過光量が図４（ｂ）のような変化を示す場合には、その反射光量の数値が最大値Ｅｍａｘとなる角度θｍａｘに、偏光フィルタ１２の偏光軸の回転角を合わせることで反射グレアによるグレアを抑制する。
【００６２】
図１７は、屈折率１．０の空気中から屈折率１．７の物質へ光が入射する場合における入射角（度）と反射率（％）の関係を示したグラフである。曲線ＲＰはＰ波の特性を示しており、曲線ＲＳは、Ｓ波の特性を示している。図１７に示すように、Ｐ波の方がＳ波よりも光の反射率が小さくなる。特にこの図１７の例では、入射角θ1が６０（度）のときは、P波の反射率は０、すなわちP波はすべて透過することとなる。
【００６３】
図１８は、屈折率１．０の空気中から屈折率１．７の物質へ光が入射する場合における入射角（度）と透過率（％）の関係を示したグラフである。曲線ＴＰはＰ波の特性を示しており、曲線ＴＳは、Ｓ波の特性を示している。図１８に示すように、Ｐ波の方がＳ波よりも光の透過率が大きくなる。
【００６４】
図１９は、被照物の反射表面物質の屈折率が１．７だとした場合、照明装置１０から照射される光の偏光軸が、０度から１８０度まで変わった時の反射率と透過率の関係を示すグラフである。図１９において、Ｔ１は透過率の特性を示しており、Ｒ１は反射率の特性を示している。この物質で発生する反射グレア、すなわち反射光量を最小にするためには、透過率が最大値となる角度に偏光軸を調整すればよい。この透過率を活用した反射グレア検出方法は、特に、例えば、コンピュータ用の画像表示装置やテレビ受像機等の反射グレアを検出する場合に有効な方法である。例えば、それらの装置のディスプレイデバイスとして液晶パネルが用いられている場合には、液晶材料から表面へ向かって、例えば、有機膜、透明電極、層間絶縁膜、ガラス基板、位相補償板等の複数の膜が存在しており、それらの各界面で不必要な反射光が生じる可能性があり、反射グレアの発生プロセスが非常に複雑である。しかし、例えば、図１６のように液晶パネルとバックライトの間に光量検出装置４０を設置し透過光検出を行なえば、このような複雑な屈折率構造の被照物であっても、簡単に反射グレアを抑制することが可能となる。
【００６５】
（第３の実施形態）
次に、本発明の第３の実施形態について説明する。第３の実施形態において、第１の実施形態と同じ構成をとる部分については、同一の符号を付してそれらの説明を省略する。
【００６６】
図２０は、本発明の第３の実施形態による照明制御システム１００ｃの適用例を示す図である。偏光フィルタ１２の偏光軸の回転角度は、光量検出装置４０が検出する被照状態に基づいて制御装置３０により決定され、その制御装置３０が駆動装置２０に出力する制御信号により制御される。
本実施形態による効果は、光源１１からの光の偏光軸を制御することにより、Ｓ波とＰ波との反射率の違いを利用することで得られる。従って、特に厳密な制御を行おうとする場合、光源１１、被照物１、観察者Ｍの３種類の位置情報を活用することが好ましい。特に観察者Ｍに関しては、光照射中に移動する可能性が高いため、その位置検出情報を活用することで、より一層高い効果を得ることが可能となる。
【００６７】
この観察者Ｍの検出方法としては、例えば、人物の場合であれば、ＣＣＤ等を用いた画像検出による方法、熱を用いた方法、動きを検出する方法などを用いることができ、こうした人物の検出方法を活用すると、さらに精度よく不快な反射グレアを抑制することが可能となり、その人物が主目的としている作業、観賞といった行為の効率を高めることに寄与できる。
さらに、人物が複数の場合も、その人物の複数の情報を数値的に合成し、例えば、複数の人数にとって全体で最適な解を導き、その解情報により偏光制御を行なうことで反射グレア抑制の効果を得ることが可能となる。他には、検出すべき観察者が例えば自動車の運転手で、道路照明に対して本実施形態の照明装置１０と光量検出装置４０を適用する場合には、自動車そのものを検出する方法として、例えばループコイルセンサ、超音波センサ、カメラ等で自動車の状態情報を取得し、その情報に応じて道路照明制御システムの偏光制御を行なうこともできる。
【００６８】
また、特に光源１１を含む照明装置１０が可搬型で、かつ、観察者Ｍの移動が比較的頻繁に行なわれるような場合には、照度計やＣＣＤ等による被照物１の情報検出結果は、無線によって偏光制御装置３０へ送られる方が使いやすいシステムとなる。その場合、無線による情報伝送の方法は、この情報伝送に専用の回線や方式を設けることにより実現可能であるが、より簡単な構造としては、例えば、既存の無線ＬＡＮ（Local Area Network）システムや携帯電話システムの回線・帯域の一部を活用することも可能である。また、例えば、照明装置１０の光源に発光ダイオードを用いる場合には、光照射とともに可視光通信も行なうことができるため、照明装置１０の偏光制御を行ないながら、それによる被照状態の伝達を、一種類の素子を用いた比較的簡単な構成で実現することが可能である。ただし、第２の実施形態で説明したデスクライトやスポットライトの例のように、光源１１とほぼ同様の指向性を示すような情報検出を行なう場合には、有線による伝送を用いることで、雑音による誤動作等を防止することができ、より確実に被照状態を制御装置３０へ送るような構成とする方がより好ましい。
【００６９】
（第４の実施形態）
次に、本発明の第４の実施形態について説明する。第４の実施形態において、第１の実施形態と同じ構成をとる部分については、同一の符号を付してそれらの説明を省略する。
【００７０】
図２１は、本発明の第４の実施形態による照明制御システム１００ｄの適用例を示す図である。偏光フィルタ１２の偏光軸の回転角度は、光量検出装置４０が検出する被照状態に基づいて制御装置３０により決定され、その制御装置３０が駆動装置２０に出力する制御信号により制御される。
被照物１が例えば、ＴＶ受像機を含めた画像表示装置等の発光物である場合、その画像表示装置の画面が常に一様な光を発する際や、ＣＣＤ等の検出装置が画面に十分近い位置にある際には、前述した実施形態と同様の制御方法により、本実施形態による効果を得ることが可能だが、より詳細な制御を行なうためには、画面上の平均輝度の時間変化、輝度の面内分布、さらには、画面表示情報そのものを活用して照明制御システムの偏光制御を行なうことが望ましい。
【００７１】
被照物１がＴＶ受像機の場合、室内で、ＴＶアンテナとＴＶ受像機の間を無線で信号伝送するシステムが既に実用化されているが、例えば、その信号を本実施形態による照明制御システム２００ｄにおいても受信できるようにし、それに応じて偏光を制御するようにすれば、非常にきめの細かい、精密な反射グレア抑制が可能となる。
さらには、前記のような観察者検出装置も併せて活用すれば、観察者Ｍに画像表示装置画面上の不快な照明の映り込みや、反射グレアを正確に抑制することが可能となり、例えば、ホームシアタ用の照明として非常に品位の高い照明制御システムが実現可能である。
また、別の例としては、前述の偏光子と検光子に挟まれた液晶パネルを偏光制御装置として使用して、画像表示装置の画面平均輝度情報に応じて、画像表示装置の背面をスポット照明する方法を用いることができる。この場合、例えば表示画面の平均輝度に応じた照明を行なうこともできるため、部屋全体を暗くして表示画面を観賞する場合であっても、鑑賞者Ｍの瞳孔調節の頻度を少なくできるため、眼の疲れを軽減することが可能となる。また、ＴＶ観賞の場合には、その映像情報と連動した照明制御システムが構築できるため、より臨場感の高い映像観賞を実現することもできるようになる。
【００７２】
（第５の実施形態）
次に、本発明の第５の実施形態について説明する。第５の実施形態において、第１の実施形態と同じ構成をとる部分については、同一の符号を付してそれらの説明を省略する。
【００７３】
図２２は、本発明の第５の実施形態による照明制御システム１００ｅの適用例を示す図である。窓に取り付けられている偏光フィルタ１２の偏光軸の回転角度は、光量検出装置４０が検出する被照状態に基づいて制御装置３０により決定され、その制御装置３０が駆動装置２０に出力する制御信号により制御される。
被照物１が窓のように、外側から太陽光が差し込んでいる場合には内側からは発光体と同様の振舞に見え、かつその表面は反射物となるが、図２２はこの場合の例を示している。窓から差し込む太陽光は、室内照明の一部ともみなすことができ、室内で太陽光の当たる位置には、本実施形態による照明制御システム１００ｅにおける光照射は最小輝度、もしくは不要としてもよい。また、照明制御システム１００ｅが窓ガラスを反射した際のグレアは、例えば夜間等、窓の外側が暗くなった場合には特に不快なものとなる。そこで、被照物１が窓の場合には、窓部分を内側から見た際の平均照度や、窓を通して観察者の目に入る外の風景・景色等の画像情報とともに、窓の外側の状態情報も活用して、照明制御を行なう。
【００７４】
この場合、例えば、最も簡単な構成は、窓の内側と外側に照度計等の光量検出装置４０を設置し、それらの情報と、部屋の中の被照物情報、さらには観察者の情報も活用して、照明制御システムの偏光制御を行なうことで、窓ガラスが直接的、または間接的に影響する反射グレアを低減させることが可能となる。また、更に精密な制御を行なう場合には、必要に応じて、内外の光量検出装置の一方または両方をＣＣＤ等のような光量検出装置に置き換え、その情報に応じて、照明制御システムの偏光状態を制御するとよい。
多くの家庭の居間等、ＴＶ受像機の設置された部屋に窓が存在することは多い。この場合は、制御がやや複雑になるが、窓の内外の状態情報とともに、ＴＶ画面の表示情報も取り込んだ上で、例えば、観察者が最もＴＶ画像を快適に見ることができるように、部屋の照明制御システムの偏光制御を行なえば、快適で目に優しく、さらにはＴＶ画像を高い臨場感で観賞可能な、照明制御システムを実現することが可能となる。
【００７５】
なお、被照物１のうち、特にその状態情報による処理が要求される、ＴＶ受像器等の画像表示装置や、窓等の場合には、頻繁に照明制御システムとの位置関係が変化するものではないため、例えば、照明制御システムとの情報のやり取りを円滑にするために情報発信装置をあらかじめ設置しておいたり、もしくは、機器の買い替え時や引越し等の際に、一度再調整をしておいたりすれば、照明制御システム側での制御系を比較的簡易化することが可能となり、それにより誤動作の少ない、より信頼性の高いシステムを構築できる。
【００７６】
上述した本発明の第１〜第５の実施形態による照明制御システム１００ａ〜１００ｅは、屋内、移動体内、屋外等で使われる、据置型、可搬型の照明装置が偏光制御機構を備え、被照物１の被照状態に応じて偏光制御を行なうことにより、観察者Ｍに不快感を与える反射グレアを効率よく抑制できる。特に、室内において、画像表示装置等を観賞したり、ＶＤＴ作業を行なったりする場合には、画像表示装置の画面やその周囲で発生する反射グレアや映り込みを効率よく抑制できる上に、画面の背面と鑑賞者・作業者の手元においては必要十分な明るさを確保できるため、照明の追加等による高価格化や使用電気エネルギ増加等を伴うことなく、高品位・高臨場感で、かつ、眼を疲れにくくする照明を実現することができる。
【００７７】
また、被照状態を入力可能な制御装置３０、又は、被照状態を検出可能な光量検出装置４０を設置することによって、反射グレアが不快な場合にのみ、効率よく反射グレアを抑制可能となる。
また、その偏光制御をリモコン装置によって遠隔操作できるようにすることによって、反射グレアの観察をしながら偏光制御をすることが可能となる。
また、偏光軸回転制御部３３（図２）が、出射光の偏光軸をある特定の角度δ（度）からδ＋１８０（度）まで回転させ、被照状態取得部３４が被照状態を取得することによって、外光を含めて、その照明装置以外の影響を取り除き、確実に照明装置の光に対する反射グレアを検出することが可能となる。
【００７８】
また、偏光軸回転制御部３３が、被照物の反射光の光量を、照明装置近傍又は被照物近傍又は観察者近傍で測定し、出射光の偏光軸をδ（度）からδ＋１８０（度）まで回転させた際の測定値が最小値となるように偏光軸を決定することによって、反射グレアを確実に検出でき、また、その反射グレアを的確に抑制することが可能となる。
また、光量検出装置４０として、被照物１の全体又は一部分の透過光の光量を被照物１の内部又は近傍で測定し、出射光の偏光軸をδ（度）からδ＋１８０（度）まで回転させた際の測定値が最大値となるように偏光軸を決定することによって、特に複雑な屈折率構造を持つような被照物の場合にも、反射グレアを確実に検出でき、また、その反射グレアを的確に抑制することが可能となる。
【００７９】
また、観察者Ｍの位置等の被照状態を入力可能な制御装置３０、又は、被照状態を検出可能な光量検出装置４０を設置することによって、不快な反射グレアを最小の状態まで抑制可能となるだけでなく、複数の反射グレアを個別に抑制することも可能となる。
また、被照状態を光量検出装置４０から制御装置３０へ送信するための有線または無線による通信部３５を設けることによって、情報伝送をより確実にすることができるとともに、被照状態の入力または検出可能な装置を可搬型、もしくはウェアラブル型にすることが可能となり、観察者Ｍが移動した場合にも反射グレアの抑制効果を得ることができるようになる。
【００８０】
また、被照物１の少なくとも一つが画像表示装置であり、光量検出装置４０として画像表示装置の画面上の反射光量変化か、もしくは、画像表示装置の全体又は一部の透過光量変化を活用することによって、画像表示装置への照明制御システムの映り込み等による反射グレアを抑制できるため、ホームシアタ等に用いられる高品位な照明制御システムを実現可能にしたり、より臨場感の高い映像観賞を実現可能にしたりすることができる。
【００８１】
なお、光量検出装置４０は、被照状態として、反射光（又は透過光）の色を検出するようにしてもよい。この場合、制御装置３０は、反射光（又は透過光）のうち所定の色が照明装置１０から照射されない偏光フィルタ１２の偏光軸の回転角を目標角度として選択することにより、特定の色を持つ光について反射グレアが発生することを防ぐことができる。
【００８２】
また、光量検出装置４０は、被照状態として、反射光（又は透過光）の特定波長のエネルギ量を検出するようにしてもよい。この場合、制御装置３０は、特定波長のエネルギ量が低い（又は高い）偏光フィルタ１２の偏光軸の回転角を目標角度として選択することにより、特定波長の光の反射グレアが発生することを防ぐことができる。
【００８３】
また、光量検出装置４０は、被照状態として、反射光が被照物の表面に形成する図形的パターンの光量を検出するようにしてもよい。この場合、制御装置３０は、光量検出装置４０から入力される図形パターンと、予め制御装置３０が記憶する図形パターンとを比較する。そして、両者の図形パターンが一致した場合には、光量検出装置４０で検出する図形パターンの反射光の強度が最小となるように、偏光フィルタ１２の偏光軸の回転角を目標角度として選択することにより、制御装置３０が予め記憶している図形パターンの反射グレアが発生することを防ぐことができる。
【００８４】
なお、以上説明した実施形態において、図２の駆動装置２０の光源駆動部２１、偏光フィルタ駆動部２２、制御装置３０の指示取得部３１、光源制御部３２、偏光軸回転制御部３３、被照状態取得部３４、通信部３５、被照状態記憶部３６、偏光軸角度決定部３７、遠隔操作部３８の機能又はこれらの機能の一部を実現するためのプログラムをコンピュータ読み取り可能な記録媒体に記録して、この記録媒体に記録されたプログラムをコンピュータシステムに読み込ませ、実行することにより照明制御システムの制御を行なってもよい。なお、ここでいう「コンピュータシステム」とは、ＯＳや周辺機器等のハードウェアを含むものとする。
【００８５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００８６】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００８７】
【図１】本発明の第１の実施形態による照明制御システム１００ａの適用例を示す図である。
【図２】本発明の第１の実施形態による照明制御システム１００ａ（図１）の構成を示すブロック図である。
【図３】本発明の第１の実施形態による照明制御システム１００ａの処理を示すフローチャートである。
【図４】本発明の第１の実施形態による偏光フィルタ１２の偏光軸の回転角を決定する方法について説明するための図である。
【図５】本発明の第１の実施形態による照明装置１０の構成の一例について説明するための図である。
【図６】本発明の第１の実施形態による照明装置１０の構成の他の例について説明するための図である。
【図７】図６（ａ）及び図６（ｂ）の液晶パネル１３の構成の一例を示す図である。
【図８】本発明の第１の実施形態による照明装置１０の構成の一例を示す図である。
【図９】本発明の第１の実施形態による照明制御システム１００ａの他の適用例を示す図である。
【図１０】本発明の第２の実施形態による照明制御システム１００ｂの適用例を示す図である。
【図１１】本発明の第２の実施形態による照明制御システム１００ｂの他の適用例を示す図である。
【図１２】本発明の第２の実施形態による照明制御システム１００ｂの他の適用例を示す図である。
【図１３】本発明の第２の実施形態による光量検出装置４０の構成の一例を示す図である。
【図１４】本発明の第２の実施形態による照明制御システム１００ｂの更に他の適用例を示す図である。
【図１５】図１４の被照物１ａと光量検出装置４０の他の構成を示す図である。
【図１６】図１５における被照物１ａの断面図である。
【図１７】屈折率１．０の空気中から屈折率１．７の物質へ光が入射する場合における入射角（度）と反射率（％）の関係を示したグラフである。
【図１８】屈折率１．０の空気中から屈折率１．７の物質へ光が入射する場合における入射角（度）と透過率（％）の関係を示したグラフである。
【図１９】被照物の反射表面物質の屈折率が１．７だとした場合、照明装置１０から照射される光の偏光軸が、０度から１８０度まで変わった時の反射率と透過率の関係を示すグラフである。
【図２０】本発明の第３の実施形態による照明制御システム１００ｃの適用例を示す図である。
【図２１】本発明の第４の実施形態による照明制御システム１００ｄの適用例を示す図である。
【図２２】本発明の第５の実施形態による照明制御システム１００ｅの適用例を示す図である。
【符号の説明】
【００８８】
１０・・・照明装置、１１・・・光源、１２・・・偏光フィルタ、２０・・・駆動装置、２１・・・光源駆動部、２２・・・偏光フィルタ駆動部、３０・・・制御装置、３１・・・指示取得部、３２・・・光源制御部、３３・・・偏光軸回転制御部、３４・・・被照状態取得部、３５・・・通信部、３６・・・被照状態記憶部、３７・・・偏光軸角度決定部、３８・・・遠隔操作部、４０・・・光量検出装置、１００ａ〜１００ｅ・・・照明制御システム
【図１】
2008140691.tif 000005
【図２】
2008140691.tif 000006
【図３】
2008140691.tif 000007
【図４】
2008140691.tif 000008
【図５】
2008140691.tif 000009
【図６】
2008140691.tif 000010
【図７】
2008140691.tif 000011
【図８】
2008140691.tif 000012
【図９】
2008140691.tif 000013
【図１０】
2008140691.tif 000014
【図１１】
2008140691.tif 000015
【図１２】
2008140691.tif 000016
【図１３】
2008140691.tif 000017
【図１４】
2008140691.tif 000018
【図１５】
2008140691.tif 000019
【図１６】
2008140691.tif 000020
【図１７】
2008140691.tif 000021
【図１８】
2008140691.tif 000022
【図１９】
2008140691.tif 000023
【図２０】
2008140691.tif 000024
【図２１】
2008140691.tif 000025
【図２２】
2008140691.tif 000026